(57)【要約】【課題】次亜塩素酸の発生量のばらつきを抑制できる空気浄化装置を提供することを目的とする。【解決手段】制御部４は、制御部４に電圧が印加されると、使用者に貯水容器１９内に水を入れることを促す。次に、制御部４は、水位検知部２５が水を検知すると使用者に診断ボタン２６ａを押すことを促し、診断ボタン２６ａが押されると、電解ユニット２２によって貯水容器１９内の水に電流を流し、貯水容器１９内の水の導電率である第１の導電率を換算する。最後に、制御部４は、第１の導電率が、所定の範囲内の導電率であるかを判定する。【選択図】図９
2019146829.tif 000002
【特許請求の範囲】
【請求項１】
吸込口と吹出口とを有する本体ケースと、
前記本体ケースに設けられた水を貯水する貯水容器と、
前記貯水容器内に設けられ、水を検知する水検知部と、
前記貯水容器内に設けられ、前記貯水容器内の水を電気分解する電解ユニットと、
前記貯水容器内の水に一部が浸漬するフィルター部分と、
前記フィルター部分に空気を送風する送風機と、
前記電解ユニットと前記フィルター部分と前記送風機とを制御する制御部とを備え、
前記制御部は、前記制御部に電圧が印加されると、使用者に前記貯水容器内に水を入れることを促し、
前記制御部は、前記水検知部が水を検知すると前記使用者に診断ボタンを押すことを促し、
前記制御部は、前記診断ボタンが押されると、前記電解ユニットによって前記貯水容器内の水に電流を流し、前記貯水容器内の水の導電率である第１の導電率を換算し、
前記制御部は、前記第１の導電率が、所定の範囲内の導電率であるかを判定することを特徴とする空気浄化装置。
【請求項２】
前記制御部は、前記第１の導電率が、所定の範囲内の導電率であれば、
前記使用者に前記本体ケースに設けられた次のステップである確認ボタンを押すことを促すことを特徴とする請求項１に記載の空気浄化装置。
【請求項３】
前記制御部は、前記第１の導電率が、所定の範囲外の導電率であれば、前記使用者にお手入れを促すことを特徴とする請求項１に記載の空気浄化装置。
【請求項４】
前記制御部は、前記確認ボタンが押されると、前記電解ユニットによって前記貯水容器内の水に電流を流し、前記貯水容器内の水の導電率である第２の導電率を換算し、
前記第２の導電率が前記第１の導電率より大きいかどうかを判定する請求項２に記載の空気浄化装置。
【請求項５】
前記制御部は、前記第２の導電率が前記第１の導電率より大きい場合には、
前記使用者が、前記確認ボタンを押す前に、前記貯水容器内の水に塩化ナトリウムを入れたと判断し、前記電解ユニット、または前記フィルター部分、または前記送風機の動作が可能となる請求項４に記載の空気浄化装置。
【請求項６】
前記制御部は、前記第２の導電率が前記第１の導電率と同じ場合には、
前記使用者が、前記確認ボタンを押す前に、前記貯水容器内の水に塩化ナトリウムを入れ忘れたと判断し、前記使用者にお手入れを促すことを特徴とする請求項４に記載の空気浄化装置。
【発明の詳細な説明】
【技術分野】
【０００１】
本発明は、水に通電することにより得られる電解水を用いて、空気中の細菌、真菌、ウイルス、臭いなどの除去を行う空気浄化装置に関するものである。
【背景技術】
【０００２】
従来のこの種の空気浄化装置の構造は、以下のようになっていた。
【０００３】
すなわち、水道水に食塩水タンクから食塩を自動投入し、電気分解して電解水を生成させ、この電解水をフィルター部に供給し、空気と電解水を接触させ、空気中に浮遊するウイルス等の除去を図る構成となっていた（例えば下記特許文献１）。
【先行技術文献】
【特許文献】
【０００４】
【特許文献１】特開２０１０−２９２４４号公報
【発明の概要】
【発明が解決しようとする課題】
【０００５】
このような従来の空気浄化装置においては、最初の貯水容器内の水が、新しい水道水ではなく、例えば、一度使用した水、つまり前回使用した塩化ナトリウムを含んだ水溶液の場合には、新しい水道水に比べて次亜塩素酸の発生量が異なる。このように、最初の貯水容器内の水によって、次亜塩素酸の発生量が、ばらつくという課題があった。
【課題を解決するための手段】
【０００６】
そして、この目的を達成するために本発明は、吸込口と吹出口とを有する本体ケースと、前記本体ケースに設けられた水を貯水する貯水容器と、前記貯水容器内に設けられ、水を検知する水検知部と、前記貯水容器内に設けられ、前記貯水容器内の水を電気分解する電解ユニットと、前記貯水容器内の水に一部が浸漬するフィルター部分と、前記フィルター部分に空気を送風する送風機と、前記電解ユニットと前記フィルター部分と前記送風機とを制御する制御部とを備え、前記制御部は、前記制御部に電圧が印加されると、使用者に前記貯水容器内に水を入れることを促し、前記制御部は、前記水検知部が水を検知すると前記使用者に診断ボタンを押すことを促し、前記制御部は、前記診断ボタンが押されると、前記電解ユニットによって前記貯水容器内の水に電流を流し、前記貯水容器内の水の導電率である第１の導電率を換算し、前記制御部は、前記第１の導電率が、所定の範囲内の導電率であるかを判定することを特徴としたものであり、これら手段により、初期の目的を達成するものである。
【発明の効果】
【０００７】
以上のように本発明は、次亜塩素酸の発生量のばらつきを抑制できる空気浄化装置を提供することができる。
【図面の簡単な説明】
【０００８】
【図１】本発明の実施の形態１の空気浄化装置の斜視図
【図２】同空気浄化装置の斜視図
【図３】同空気浄化装置の斜視図
【図４】同空気浄化装置の断面図
【図５】同空気浄化装置の機能ブロックを示す図
【図６】同空気浄化装置の貯水容器の斜視図
【図７】同空気浄化装置の操作部を示す図
【図８】同空気浄化装置の表示部を示す図
【図９】同空気浄化装置の制御部の処理を示すフローチャート
【発明を実施するための形態】
【０００９】
（実施の形態１）
まず、本発明に係る空気浄化装置について、図１〜図５を用いて説明する。
【００１０】
図１、図２、図３は、本発明の実施の形態１の空気浄化装置の斜視図である。なお、図１は、空気浄化装置を前面側から見た図である。図２は、パネルを開いた空気浄化装置を前面側から見た図であり、空気浄化部を取り外した状態である。図３は、パネルを開いた空気浄化装置を前面側から見た図であり、空気浄化部を取り外し、貯水容器からタンク部材とフィルター部分とを出し、電解ユニットを下した状態である。図４は、図１の断面図であり、パネルを開いた状態を示している。図５は、タンク部材とフィルター部分とを貯水容器から出し、貯水容器を上方から見た図である。
【００１１】
図１〜図５に示すように、本実施の形態の空気浄化装置は、略箱形状の本体ケース１と、送風機２と、空気浄化部３と、制御部４と、操作部５と、表示部６とを備える。
【００１２】
以下、空気浄化装置の詳細な構成について説明する。
【００１３】
本体ケース１には、吸気口７と、吹出口８と、操作カバー９と、パネル１０とが設けられている。
【００１４】
吸気口７は、本体ケース１の両側面に設けられている。吹出口８は、開閉式であって、本体ケース１の天面における背面側に設けられている。なお、図１、図２では、吹出口８は開いた状態である。本体ケース１の天面における前面側には、仰角方向に回転自在な操作カバー９が設けられている。操作カバー９を開くと、内部には操作部５が設けられている。
【００１５】
本体ケース１の前面側には、開閉可能なパネル１０が設けられている。パネル１０の上部には、窓部分１１を備えている。窓部分１１は、パネルに設けられた横長四角形状の開口が、透明な樹脂板に覆われた構造である。本体ケース１の外側から、窓部分１１を介して、本体ケース１内の表示部６を見ることができる。
【００１６】
パネル１０を開くと、本体ケース１内の下部には、空洞部１２が設けられている。空洞部１２は、本体ケースにおける前面側の横長四角形状の開口１２ａから、本体ケース１における背面側へ水平方向に延びた穴である。空洞部１２内には、空気浄化部３が設けられている。空気浄化部は３、図２に示すように、空洞部１２内から本体ケース１外へ取り出すことが出来る。
【００１７】
本体ケース１内には、図４に示すように、吸気口７と吹出口８とを連通する風路１３が設けられている。この風路１３には、吸気口７から順に、空気浄化部３（貯水容器、フィルター部分）、送風機２、吹出口８が設けられている。送風機２のモータ部１４によってファン部１５が回転すると、吸気口７から本体ケース１内に入った外部の空気は、順に、空気浄化部３貯水容器、フィルター部分）、送風機２、吹出口８を介して、本体ケース１から吹き出される。
【００１８】
送風機２は、本体ケースの中央部に設けられ、モータ部１４と、モータ部１４により回転するファン部１５と、それらを囲むスクロール形状のケーシング部１６とを備えている。
【００１９】
モータ部１４は、ケーシング部１６に固定されている。
【００２０】
ファン部１５は、シロッコファンで、モータ部１４から水平方向に延びた回転軸（図示せず）に固定されている。モータ部１４の回転軸は、本体ケース１の前面側から背面側に延びている。
【００２１】
ケーシング部１６には、吐出口１７と吸込口１８とが設けられている。吐出口１７は、ケーシング部１６の本体ケース１における上面側に設けられている。また、吸込口１８は、ケーシング部１６の本体ケース１における前面側に設けられている。モータ部１４によって、ファン部１５が回転すると、ケーシング部１６の吸込口１８からケーシング部１６内に空気が吸い込まれ、この吸い込まれた空気は、吐出口１７からケーシング部１６外へ送風される。
【００２２】
空気浄化部３は、貯水容器１９と、タンク部材２０と、フィルター部分２１と、電解ユニット２２とを備えている。
【００２３】
貯水容器１９は、天面に開口が設けられた箱形状をしており、水を貯水できる構造となっている。貯水容器１９は、本体ケース１の下部に配置されており、空洞部１２から水平方向にスライドして着脱可能となっている。貯水容器１９は、タンク部材２０から供給される水を貯水する。
【００２４】
タンク部材２０は、本体ケース１内部の下部に設置され貯水容器１９から着脱可能な構造となっている。タンク部材２０は、貯水容器１９の底面に設けられたタンク保持部２３に装着されている。タンク部材２０は、水を貯水するタンク２０ａと、タンク２０ａの開口（図示せず）に設けられた蓋２０ｂとを備えている。蓋２０ｂの中央には、開閉部（図示せず）が設けられており、この開閉部が開くと、タンク２０ａ内の水が、貯水容器１９へ供給される。具体的には、タンク２０ａの開口を下向きにして、タンク部材２０を貯水容器１９のタンク保持部２３に取り付けると、タンク保持部２３によって開閉部が開く。つまり、タンク部材２０に水を入れてタンク保持部２３に取り付けると、開閉部が開いてタンク部材２０から貯水容器１９に給水され、貯水容器１９内に水が溜まる。貯水容器１９内の水位が上昇して水が蓋２０ｂのところまで到達するとタンク部材２０の開口が水封されるので給水が停止する。タンク部材２０の内部には水が残っており、貯水容器１９内の水位が下がった場合に都度、タンク２０ａ内部の水が貯水容器１９に給水される。即ち、貯水容器１９内の水位は一定に保たれる。
【００２５】
フィルター部分２１は、貯水容器１９に貯水された水と、送風機２によって本体ケース１内に吸込まれた室内空気とを接触させる部材である。フィルター部分２１には、円筒状に構成され、円周部分に空気が流通可能な孔が設けられたフィルター２４が配置されている。フィルター部分２１は、フィルター２４の一端が貯水容器１９の水に浸漬するように、フィルター２４の中心軸を回転中心として貯水容器１９内に回転自在に内蔵されている。そして、フィルター部分２１は、後述する駆動部によって回転され、水と室内空気を連続的に接触させる構造となっている。
【００２６】
電解ユニット２２は、本体ケース１に上下方向に移動可能に設けられている。図２では、電解ユニット２２は、上方に移動されているので、見えない状態である。図３は、電解ユニット２２は、下方に移動された状態である。電解ユニット２２は、第１の電極（図示せず）と、第２の電極（図示せず）とを有する。貯水容器１９を、本体ケース１の下部の空洞部１２に装着し、電解ユニット２２を下方に移動させると、第１の電極と第２の電極とを貯水容器１９内に浸らせた状態となる（図３参照）。第１の電極と第２の電極とを貯水容器１９内に浸らせた状態で第１の電極と第２の電極に電圧を印加すると、使用者によって投入された電解促進溶剤（図示せず）が入った貯水容器１９内の水を電気化学的に処理するものである。なお、電解促進溶剤の一例は、塩化ナトリウム水溶液であり、電解ユニット２２によって、次亜塩素酸が発生する。また、電解ユニット２２は、本体ケース１から着脱可能な構成である。
【００２７】
図５は、本発明の実施の形態１の空気浄化装置の機能ブロックを示す図である。図６は、本発明の実施の形態１の空気浄化装置の貯水容器の斜視図である。
【００２８】
図５、図６に示すように、制御部４は、電解ユニット２２と、フィルター部分２１（駆動部２１ａ）と、送風機２（モータ部１４）と、後述する表示ランプ２７を制御する。具体的には、制御部４は、後述する水位検知部２５からの信号や、操作ボタン２６の操作に応じて、電解ユニット２２である第１の電極と第２の電極に印加する電圧、フィルター部分２１である駆動部２１ａの動作、送風機２であるファン部１５の回転数、表示ランプ２７の点灯、点滅、消灯などを制御する。
【００２９】
水位検知部２５は、貯水容器に移動自在に設けられ、水位と共に移動するフロート部分２５ａと、フロート部分２５ａの位置を検知する位置検知部分２５ｂとを備えている（図３、６参照）。フロート部分２５ａの一例は、磁石を内蔵した発泡スチロールが、上下方向に移動自在に貯水容器に装着された構造である。位置検知部分２５ｂの一例は、本体ケース１に固定され、磁石の磁界を検知するホールセンサーである。
【００３０】
図７は、操作部を上方から見た図である。
【００３１】
図７に示すように、操作部５は、本体ケース１の天面における前面側に設けられている。操作部５には、複数の操作ボタン２６と、表示ランプ２７とを備えている。
【００３２】
操作ボタン２６は、診断ボタン２６ａと、確認ボタン２６ｂ、運転モードボタン２６ｃ、電源ボタン２６ｄとを備えている。本体ケース１における前面側から見て、中央部には診断ボタン２６ａが設けられ、診断ボタン２６ａの右隣には確認ボタン２６ｂが配置されている。確認ボタン２６ｂの右隣には運転モードボタン２６ｃが配置され、操作部５の右端には電源ボタン２６ｄが配置されている。診断ボタン２６ａと確認ボタン２６ｂと運転モードボタン２６ｃと電源ボタン２６ｄとは、本体ケース１における左右方向に一列に配置されている。
【００３３】
表示ランプ２７は、診断ランプ２７ａと、確認ランプ２７ｂと、モードランプ２７ｃとを備えている。
【００３４】
診断ランプ２７ａは、診断ボタン２６ａの本体ケース１における背面側に配置されている。診断ランプ２７ａの一例は、ＬＥＤ（発光ダイオード）であり、制御部４によって、ＬＥＤが点滅、または消灯となる。
【００３５】
確認ランプ２７ｂは、確認ボタン２６ｂの本体ケース１における背面側に配置されている。確認ランプ２７ｂの一例は、ＬＥＤであり、制御部４によって、ＬＥＤが点滅、または消灯となる。
【００３６】
モードランプ２７ｃは、運転モードボタン２６ｃの本体ケース１における背面側に３つ配置されている。これら３つは、本体ケース１における左右方向に一列に配置され、左端が強モードであり、中央が中モードであり、右端が弱モードである。
【００３７】
図８は、表示部を本体ケースの前面側から見た図である。
【００３８】
図８に示すように、表示部６は、本体ケース１における上部前面側である本体ケース１内に設けられ、本体ケース１のパネル１０の窓部分１１を介して、本体ケース１の外側から見ることができる。表示部６は、給水ランプ６ａと、お手入れランプ６ｂとを備えている。
【００３９】
給水ランプ６ａは、本体ケース１における前面側から見て、表示部６の中央部に配置されている。給水ランプ６ａの一例は、ＬＥＤであり、制御部４によって、ＬＥＤが点灯、または消灯となる。
【００４０】
お手入れランプ６ｂは、本体ケース１における前面側から見て、給水ランプ６ａの左隣りに配置されている。お手入れランプ６ｂの一例は、ＬＥＤであり、制御部４によって、ＬＥＤが点灯、または消灯となる。
【００４１】
図９は、本発明の実施の形態１の空気浄化装置の制御部の処理を示すフローチャートである。
【００４２】
本発明に係る空気浄化装置の操作方法および運転動作について説明する。
【００４３】
図６〜図９に示すように、最初に、使用者が、電源コード（図示せず）の電源プラグ（図示せず）を外部電源（コンセント）に接続し（図９、Ｓ１）、電源ボタン２６ｄを押す（図９、Ｓ２）。電源ボタン２６ｄが押されると、外部電源（図示せず）から電源コードを介して、制御部４に電圧が印加される。ここで、水位検知部２５が、貯水容器１９内に水があるかどうかを検知する（図９、Ｓ３）。通常は、使用者が、前回使用後に、貯水容器１９とタンク２０ａ内の水を捨てているので、貯水容器１９内には、水が無い状態である。
【００４４】
但し、貯水容器１９内に所定量の水が入っていたことを水位検知部２５が検知した場合（図９、Ｓ３のＹｅｓ）には、制御部４は、使用者に貯水容器１９とタンク２０ａ内の水を捨てさせるために、表示部６のお手入れランプ６ｂを点灯させる（図９、Ｓ４）。これにより、使用者が、前回使用した使用済みの水を捨て忘れることを抑制することができる。お手入れランプ６ｂを点灯状態では、使用者は、電源プラグを抜き、パネル１０を開き、貯水容器１９およびタンク２０ａを取り出し、貯水容器１９およびタンク２０ａ内の水を捨て、空の貯水容器１９およびタンク２０ａを本体ケースに１に再び装着し、パネル１０を閉める。そして、最初の電源プラグ（図示せず）を外部電源（コンセント）に接続するところから再び始める。なお、使用済みの水とは、塩化ナトリウムを含み、電気分解によって次亜塩素酸を発生させた水である。
【００４５】
一方、貯水容器１９内に水が入っていないことを水位検知部２５が検知した場合（図９、Ｓ３のＮｏ）には、制御部４は、給水ランプ６ａを点灯させ、使用者に給水を促す（図９、Ｓ５）。使用者は、本体ケース１の前面のパネル１０を開き、貯水容器１９からタンク部材２０を取り外す。使用者は、取り外したタンク部材２０に水を入れ、貯水容器１９に装着し、本体ケース１のパネルを閉じる（図９、Ｓ６）。ここで水位検知部２５が、貯水容器１９内に水があるかどうかを検知する（図９、Ｓ７）。通常は、使用者が、タンク部材２０に水を入れ、タンク部材２０から貯水容器１９に水が供給され、貯水容器１９内には、水がある状態である。
【００４６】
但し、貯水容器１９内に所定量の水が入っていないことを水位検知部２５が検知した場合（図９、Ｓ７のＮｏ）には、制御部４は、使用者に貯水容器１９とタンク部材２０に給水させるために、表示部６の給水ランプ６ａの点灯を継続する（図９、Ｓ５）。これにより、貯水容器１９とタンク部材２０への水の入れ忘れを抑制できる。
【００４７】
一方、貯水容器１９内に所定量の水が入っていることを水位検知部２５が検知した場合（図９、Ｓ７のＹｅｓ）には、水位検知部２５から制御部４へ信号が送られる。制御部４は、水位検知部２５からの信号を受けると、使用者に診断ボタン２６ａを押すことを促すために、診断ランプ２７ａを点滅させる（図９、Ｓ８）。
【００４８】
次に、使用者が、診断ランプ２７ａの点滅を見て、診断ボタン２６ａを押す（図９、Ｓ９）と、制御部４は、電解ユニット２２に所定の電圧を印加し（図９、Ｓ１０）、電解ユニット２２によって貯水容器１９内の水に電流を流し、貯水容器１９内の水の導電率である第１の導電率を換算する（図９、Ｓ１１）。具体的には、制御部４は、第１の電極と、第２の電極とに所定の電圧を印加し、貯水容器１９内の水に電流を流す。制御部４は、この貯水容器１９内の水に流れた電流値から、貯水容器１９内の水の導電率を換算し、第１の導電率とする。通常は、貯水容器１９内には、水道水が入っているので、第１の導電率が、所定の値以下となる。
【００４９】
但し、第１の導電率が、所定の値より大きい場合（図９、Ｓ１１のＮｏ）には、制御部４は、貯水容器１９内の水が、水道水ではないと判断し、診断ランプ２７ａを消灯させ、使用者に水をお手入れさせるために、表示部６のお手入れランプ６ｂを点灯させる（図９、Ｓ４）。このように、お手入れランプ６ｂを点灯させることにより、使用者が誤った作業、例えば誤って使用済みの水を入れたことを知らせるので、使用者が作業を誤ることを抑制できる。お手入れランプ６ｂを点灯状態では、使用者は、電源プラグを抜き、パネル１０を開き、貯水容器１９およびタンク２０ａを取り出し、貯水容器１９およびタンク２０ａ内の水を捨て、空の貯水容器１９およびタンク２０ａを本体ケースに１に再び装着し、パネル１０を閉める。そして、最初の電源プラグ（図示せず）を外部電源（コンセント）に接続することから再び始めなければならない。
【００５０】
一方、第１の導電率が、所定の値以下の場合（図９、Ｓ１１のＹｅｓ）には、制御部４は、貯水容器１９内の水は、水道水であると判断し、診断ランプ２７ａを消灯させ、使用者に確認ボタン２６ｂを押すことを促すために、確認ランプ２７ｂを点滅させる（図９、Ｓ１２）。なお、所定の値とは、一例としては、５００μＳから２５００μＳである。これにより、最初の貯水容器１９内の水が、新しい水道水なのか、前回使用した塩化ナトリウムを含んだ水溶液なのかを判断できるので、貯水容器１９内の水による次亜塩素酸の発生量のバラツキを抑制できる。また、確認ランプ２７ｂを点滅させることにより、使用者へ次の作業を知らせるので、使用者が操作順序を間違うことなく、操作できる。
【００５１】
次に、使用者は、確認ランプ２７ｂの点滅をみて、本体ケース１の前面のパネル１０を開き、貯水容器１９内に電解促進溶剤を投入する。電解促進溶剤を投入後、使用者は、本体ケース１のパネル１０を閉じ（図９、Ｓ１３）、確認ボタン２６ｂを押す（図９、Ｓ１４）。
【００５２】
次に、確認ボタン２６ｂが押されると、制御部４は、電解ユニット２２によって貯水容器１９内の水に電流を流し、貯水容器１９内の水の導電率である第２の導電率を換算する。具体的には、制御部４は、第１の電極と、第２の電極とに所定の電圧（第１の導電率を換算する場合に印加した電圧と同じ電圧）を印加し、貯水容器１９内の水に電流を流す。制御部４は、この貯水容器１９内の水に流れた電流値から、貯水容器１９内の水の導電率を換算し、第２の導電率とし、第２の導電率が第１の導電率より大きいかどうかを判定する（図９のＳ１５）。通常、貯水容器１９内に電解促進溶剤を投入すると、第２の導電率とし、第２の導電率が第１の導電率より大きくなる。
【００５３】
但し、第２の導電率が第１の導電率と同じ場合（図９、Ｓ１５のＮｏ）、または、第２の導電率と第１の導電率との差が、所定の範囲内である場合には、制御部４は、使用者が、確認ボタン２６ｂを押す前に、貯水容器１９内の水に電解促進溶剤を入れ忘れたと判断し、確認ランプ２７ｂを消灯させ、使用者に水をお手入れさせるために、お手入れランプ６ｂを点灯させる（図９、Ｓ４）。このように、お手入れランプ６ｂを点灯させることにより、使用者が作業を誤ったことを知らせるので、使用者が作業を誤ることを抑制できる。お手入れランプ６ｂを点滅状態では、使用者は、電源プラグを抜き、パネル１０を開き、貯水容器１９およびタンク２０ａを取り出し、貯水容器１９およびタンク２０ａ内の水を捨て、空の貯水容器１９およびタンク２０ａを本体ケースに１に再び装着し、パネル１０を閉める。そして、最初の電源コード（図示せず）を外部電源（コンセント）に接続することから再び始めなければならない。
【００５４】
一方、第２の導電率が、第１の導電率より大きい場合（図９、Ｓ１５のＹｅｓ）、または、第２の導電率から第１の導電率を引いた差が、所定の範囲より大きい場合には、制御部４は、使用者が、確認ボタン２６ｂを押す前に、貯水容器１９内の水に電解促進溶剤を入れたと判断し、確認ランプ２７ｂを消灯させ、使用者に運転モードボタン２６ｃを押すことを促すために、モードランプ２７ｃを点滅させる（図９、Ｓ１６）。これにより、貯水容器１９内の水に、電解促進溶剤が入ったかどうかを判断できるので、電解促進溶剤の入れ忘れを抑制できる。また、運転モードボタン２６ｃを点滅させることにより、使用者へ次の作業を知らせるので、使用者が操作順序を間違うことなく、操作できる。
【００５５】
最後に、使用者は、モードランプ２７ｃの点滅を見て、運転モードボタン２６ｃを押し、運転モードを設定する（図９、Ｓ１７）。この運転モードに応じて、制御部４は、電解ユニット２２である第１の電極と第２の電極によって貯水容器１９内の水に流す電流値、フィルター部分２１である駆動部の動作、送風機２であるファン部１５の回転数を制御する（図９、Ｓ１８）。
【００５６】
運転モードボタン２６ｃによって、強モードに設定された場合の動作の一例について説明する。制御部４は、電解ユニット２２である第１の電極と第２の電極によって、貯水容器１９内の水に強モードの電流を流し、塩化ナトリウムを含んだ貯水容器１９内の水を電気分解し、次亜塩素酸を発生させる。制御部４は、フィルター２４を、次亜塩素酸を含んだ貯水容器１９内の水に、フィルター２４の一端が浸漬した状態で、駆動部によって回転させ、フィルター２４全体に次亜塩素酸を含んだ水を保水させる。制御部４は、強モードの回転数によってファン部１５を回転させ、送風機２によって、本体ケース１外の空気をフィルター２４へ送風する。フィルター２４へ送風された空気は、フィルター２４を通過するときに、次亜塩素酸を含んだ空気となる。次亜塩素酸を含んだ空気は、送風機２によって、本体ケース１の吹出口から本体ケース１外へ送風され、本体ケース１外の空間を除菌する。
【産業上の利用可能性】
【００５７】
本発明は、空間に浮遊する微生物を除去する空気浄化装置として適している。
【符号の説明】
【００５８】
１    本体ケース
２    送風機
３    空気浄化部
４    制御部
５    操作部
６    表示部
６ａ    給水ランプ
６ｂ    お手入れランプ
７    吸気口
８    吹出口
９    操作カバー
１０    パネル
１１    窓部分
１２    空洞部
１２ａ    開口
１３    風路
１４    モータ部
１５    ファン部
１６    ケーシング部
１７    吐出口
１８    吸込口
１９    貯水容器
２０    タンク部材
２０ａ    タンク
２０ｂ    蓋
２１    フィルター部分
２１ａ    駆動部
２２    電解ユニット
２３    タンク保持部
２４    フィルター
２５    水位検知部
２５ａ    フロート部分
２５ｂ    位置検知部分
２６    操作ボタン
２６ａ    診断ボタン
２６ｂ    確認ボタン
２６ｃ    運転モードボタン
２６ｄ    電源ボタン
２７    表示ランプ
２７ａ    診断ランプ
２７ｂ    確認ランプ
２７ｃ    モードランプ
【図１】
2019146829.tif 000003
【図２】
2019146829.tif 000004
【図３】
2019146829.tif 000005
【図４】
2019146829.tif 000006
【図５】
2019146829.tif 000007
【図６】
2019146829.tif 000008
【図７】
2019146829.tif 000009
【図８】
2019146829.tif 000010
【図９】
2019146829.tif 000011